(57)【要約】      （修正有）【課題】広い駐車場に止めた車を確実に探し当てる事を目的として、何処ででも手に入る汎用紙を装着して所要のメモ用紙サイズに切断して、筆記用具で車の駐車位置アドレスなどの表示を記載し、車のキーなどと共に持ち歩くことが出来る駐車位置ガイドメモを提供する。【解決手段】ベースプレート１とアッパープレート２で構成するメモツールに関して、アッパープレートには汎用紙から少なくとも２辺を捲り切断してメモ用紙を作成する切断刃４、５を備え、ベースプレートまたはアッパープレートに駐車位置アドレスなどをメモ用紙に記載するための開口部９を設けるとともに、ベースプレートとアッパープレートにはほぼ同一サイズの磁極面を有し、相互の中心が吸引し合う方向、位置に磁石１０、１１を配置する。【選択図】図１
0003196519.tif 000002
【実用新案登録請求の範囲】
【請求項１】
ベースプレートとアッパープレートで構成するメモツールに関して、アッパープレートには汎用紙から少なくとも２辺を捲り切断してメモ用紙を作成する切断刃を備え、ベースプレートまたはアッパープレートに駐車位置アドレスなどをメモ用紙に記載するための開口部を設けるとともに、ベースプレートとアッパープレートにはほぼ同一サイズの磁極面を有し、相互の中心が吸引し合う方向、位置に磁石を配置することを特徴とする駐車位置ガイドメモ。
【請求項２】
アッパープレートには汎用紙から少なくとも２辺を切断してメモ用紙を作成する鋸刃を備える、請求項１に記載する駐車位置ガイドメモ。
【請求項３】
ベースプレートまたはアッパープレートには筆記具を装着する構造を備える、請求項１、請求項２に記載する駐車位置ガイドメモ。
【考案の詳細な説明】
【技術分野】
【０００１】広い駐車場に止めた車を確実に探し当てる事を目的として、何処ででも手に入る汎用紙を装着して所要のメモ用紙サイズに切断して、筆記用具で車の駐車位置アドレスなどの表示を記載し、車のキーなどと共に持ち歩くことが出来る駐車位置ガイドメモ。
【背景技術】
【０００２】広い駐車場に止めた車を探し出すためにスマートフォンなどを利用したツールも利用されるが、衛星から位置情報を得て場所を特定するため電波状態の悪いビルの駐車場などでは上手く機能しない場合もあるとともに、自動車に独自のマーカーを取り付けて目視して識別する方法では、どのようなマーカーであっても視認可能な距離範囲内での識別しか出来ないなど種々欠点を有している。
【考案が解決しようとする課題】
【０００３】広い駐車場に止めた車を探し出すために、電波状態の悪いビルなどの駐車環境条件に左右されるスマートフォンや、視認できる範囲内での識別しか出来ない独自のマーカーなどを利用する探索方法が抱える各種課題を全て解決するためには、車の駐車位置近傍までをガイドする手段と、駐車位置近傍において車そのものを特定する手段のそれぞれが不可欠であり、本考案では車の駐車位置近傍までをガイドするために最適な駐車位置ガイドメモを提案する。
【課題を解決するための手段】
【０００４】ベースプレートとアッパープレートで構成するメモツールに関して、アッパープレートには汎用紙から少なくとも２辺を捲り切断してメモ用紙を作成する切断刃を備え、ベースプレートまたはアッパープレートに駐車位置アドレスなどをメモ用紙に記載するための開口部を備えるとともに、ベースプレートとアッパープレートにはほぼ同一サイズの磁極面を有し、相互の中心が吸引し合う方向、位置に磁石を配置する。
【考案の効果】
【０００５】車の駐車位置を特定するためには、などをメモして持ち歩き、そのメモによって駐車位置にたどり着くガイド方法が最善であるが、降車するときには意外とメモ用紙や筆記具が見当たらない事が多くメモが出来ない。然るに、本考案による駐車位置ガイドメモは、たとえばキーホルダーの構造で、筆記具を取り付けるとともに、折り込み広告など何処でも手に入る汎用紙から所要のメモ用紙を作成して、そのメモ用紙に駐車位置を示す駐車アドレスなどをメモして車の鍵と共に持ち歩くことが可能なため、メモに記載されるアドレスに従って車の駐車位置近傍まで確実にガイドされる。
【考案を実施するための形態】
【０００６】図１に本考案による駐車位置ガイドメモをキーホルダータイプで形成した場合の概念図を示す。ベースプレート１とアッパープレート２は磁石により着脱自在に構成され、分離した状態で、ベースプレート面に折込広告などの汎用紙６の先端をストッパー壁３に突き当てて置く。ベースプレートには磁石１１、アッパープレートには磁石１０が互いに吸引する位置関係に装着されており、磁石１０と磁石１１は磁極面をほぼ同一サイズとするため磁石１０と磁石１１の磁極面はピッタリと重なる。このようにして汎用紙６はアッパープレートとベースプレートの間に挟まれて保持される。アッパープレートの端部には汎用紙を捲り切断するための切断刃４と５が取り付けられており、アッパープレートを手で押さえながら汎用紙６を→７の方向に捲り上げる操作により、切断刃４のエッジで汎用紙を切断し、さらに→８の方向に捲り上げる操作により、切断刃のエッジ５で汎用紙を切断して所定のメモ用紙を作成する。なお用紙の切断においては用紙を押し切る構造の切断刃は、捲り切断刃とは比較にならないほど高価で大型になり、切断に強い力が必要になる。
【０００７】なお、２辺以上を切断できるように切断刃を構成して配置することにより、ベースプレートとアッパープレートに挟んでセットした汎用紙をセットし直したりせずに一度セットしたままでメモ用紙を作成することが可能である。図２（１）にアッパープレート、図３にベースプレートの概念図が示されている。図２（２）は作成されたメモ用紙を示し、９はヘッドプレートの開口部に相当するメモ用紙のメモ記載部を示す。図４はメモ用紙作成用の切断刃４と５を示す。（１）は二枚の分離刃で構成した例、（２）は一枚刃で構成した例を示しているが、切断刃は先端が鋭利な樹脂または金属の薄い板、または薄い鋸刃などで構成することが出来る。なお切断刃はコーナー部において刃のピッチが離散したり、不連続にならない刃構成が必要である。このような接断構成とすることにより、汎用紙から切り出されたメモ用紙はアッパープレートとベースプレートの間に挟まれたまま持ち歩けるように保持される。
【０００８】図５は請求項３に記載する、アッパープレートまたはベースプレートに装着する筆記具の概念を示す。軟質樹脂パイプ１２の内径部には鉛筆芯１３が挿入されており、筆記する場合には芯押出ピン１４を軟質パイプの内径に挿入して鉛筆芯を所要量押し出し、軟質パイプを二本の指で押さえて芯が移動しないようにして記載する。このような構成を取る理由は、筆記具を可能な限り小型化する為である。１５は芯押出ピンを軟質パイプに取りつける部材であり、１４，１５などを強磁性体で形成して図６に示すように筆記具を磁石１１により吸着保持させる。
【実施例】
【０００９】キーホルダータイプの駐車位置ガイドメモはＡＢＳ樹脂を主体として３５×６０×１２ｍｍサイズで構成した。磁石は円筒ネオジウムとして、Φ８×３とΦ８×１をペアで組み合わせた。駐車位置アドレスを記載する部分は１５×４０ｍｍとしたが、駐車場に表示されるアドレスは、たとえば「２−Ｇ１２」などと文字数は多くないため記載領域としては十分と考えられる。またメモ用紙を作成する切断刃としては、８ｍｍ幅の鉄鋸刃２枚を採用した。なお本実施例では駐車位置アドレスを記載するための開口部をアッパープレートに設けた例を示したが、これはアッパープレートに限らず、ベースプレートに設けても良い。この場合は筆記具の位置を適切にずらしたり、アッパープレートに移したりすれば良い。筆記具の軟質パイプは内径Φ２ｍｍ、外形Φ４ｍｍの▲２▼軟質ポリウレタンチューブとし、芯押出針はΦ１．５ｍｍの鉄とした。全体構造はキーホルダーに拘るものではなく、磁石はネオジウムに限らず吸引力が満たせばネオジゥムなどでも良く、汎用紙からメモ用紙を切り出す切断刃も２辺に限らず、３辺、４辺でも良いなど、本考案の趣旨を逸脱しない範囲であれば、機能、性能、材質、ディメンジョンなどは種々変形実施が可能である。
【図面の簡単な説明】
【００１０】
【図１】駐車位置ガイドメモをキーホルダータイプで形成した概念図を示す。
【図２】アッパープレートとメモ用紙の概念図を示す。
【図３】ベースプレートに汎用紙をセットした状態の概念図を示す。
【図４】メモ用紙を作成する２辺構成の切断刃の概念図を示す。
【図５】筆記具の構成概念図を示す。
【図６】ベースブレートに筆記具を装着した概念図を示す。
【符号の説明】１  ベースプレート                    ９  開口窓
２  ヘッドプレート                  １０  アッパープレート磁石
３  ストッパー壁                    １１  ベースプレート磁石
４  切断刃                          １２  筆記具パイプ
５  切断刃                          １３  鉛筆芯
６  汎用紙                          １４  芯押出ピン
７  汎用紙捲り方向                  １５  取り付け部材
８  汎用紙捲り方向
【図１】
0003196519.tif 000003
【図２】
0003196519.tif 000004
【図３】
0003196519.tif 000005
【図４】
0003196519.tif 000006
【図５】
0003196519.tif 000007
【図６】
0003196519.tif 000008